(57)【要約】【課題】  鏡筒内部品を光軸方向に駆動するカム筒構造を従来よりもコンパクトに構成することの可能な光学鏡筒の構造を提供する。【解決手段】  本発明の光学鏡筒１０は、光軸周りに回転可能な駆動筒１３と、駆動筒１３に対してそれぞれ直接若しくは間接的にカム係合し、駆動筒１３の回転により光軸方向にそれぞれ移動可能に構成された複数の鏡筒内部品１６〜１９とを有し、駆動筒１３の外面に形成され、一の鏡筒内部品１６を駆動するための外面カム係合要素１３ａと、駆動筒１３の内面に形成され、他の鏡筒内部品１７〜１９を駆動するための内面カム係合要素１３ｂ〜１３ｄとを有することを特徴とする。【選択図】図１
2005234259.tif 000002
【特許請求の範囲】
【請求項１】
光軸周りに回転可能な駆動筒と、該駆動筒に対してそれぞれ直接若しくは間接的にカム係合し、前記駆動筒の回転により光軸方向にそれぞれ移動可能に構成された複数の鏡筒内部品とを有する光学鏡筒において、
前記駆動筒の外面に形成され、一の前記鏡筒内部品を駆動するための外面カム係合要素と、前記駆動筒の内面に形成され、他の前記鏡筒内部品を駆動するための内面カム係合要素とを有することを特徴とする光学鏡筒。
【請求項２】
前記外面カム係合要素と前記内面カム係合要素の少なくとも一部が光軸周りの円筒座標上で相互に重なる位置に配置されていることを特徴とする請求項１に記載の光学鏡筒。
【請求項３】
前記駆動筒にカム係合した固定筒がさらに設けられ、
前記固定筒には、前記駆動筒の回転により前記駆動筒を光軸方向に移動させる固定側カム係合要素と、前記鏡筒内部品の移動方向を直接若しくは間接的に光軸方向に規制する規制手段とが形成され、
前記規制手段は、前記固定側カム係合要素を避けた位置に構成されていることを特徴とする請求項１又は２に記載の光学鏡筒。
【請求項４】
前記規制手段は、前記固定側カム係合要素が光軸方向の一側に配置される角度位置において前記固定側カム係合要素に対して光軸方向の他側に配置されていることを特徴とする請求項３に記載の光学鏡筒。
【請求項５】
光軸周りに回転可能な駆動筒と、該駆動筒に対して直接若しくは間接的にカム係合し、前記駆動筒の回転により光軸方向に移動可能に構成された鏡筒内部品と、前記駆動筒にカム係合した固定筒とを有する光学鏡筒において、
前記固定筒には、前記駆動筒の回転により前記駆動筒を光軸方向に移動させる固定側カム係合要素と、前記鏡筒内部品の移動方向を直接若しくは間接的に光軸方向に規制する規制手段とが形成され、
前記規制手段は、前記固定側カム係合要素を避けた位置に構成され、
前記規制手段は、前記固定側カム係合要素が光軸方向の一側に配置される角度位置において前記固定側カム係合要素に対して光軸方向の他側に配置されていることを特徴とする光学鏡筒。
【請求項６】
前記規制手段は、前記鏡筒内部品を光軸方向に案内する直進案内筒の移動方向を規制する手段であることを特徴とする請求項３乃至５のいずれか一項に記載の光学鏡筒。
【発明の詳細な説明】
【技術分野】
【０００１】
本発明は光学鏡筒に係り、特に、ズーム機能を有する撮像装置に用いる場合に好適な光学鏡筒の構造に関する。
【背景技術】
【０００２】
一般に、カメラなどの撮像装置に用いられるズームレンズ鏡筒や沈胴カメラにおけるレンズ移動機構などの光学部品を内蔵した各種の光学鏡筒においては、レンズなどの光学部品をカム筒機構によって光軸方向に移動させる手法が広く採用されている。
【０００３】
上記のカム筒機構は、周知のように、レンズを保持するレンズ保持枠に設けられるカムフォロワと、レンズ保持枠を内側に収納するカム筒に形成されるカム溝との間のカム係合の作用により、カム筒の回転に従ってレンズ保持枠を光軸方向に移動させるように構成されている。
【０００４】
特に、上記のカム筒機構により複数のレンズ保持枠を移動させる構造においては、上記カムフォロワやカム溝などのカム係合要素はレンズ保持枠毎に設けられる。そして、一つのカム筒により複数のレンズ保持枠を駆動する場合には、当該カム筒には、複数のレンズ保持枠に対応する複数のカム溝が形成される。これらの複数のカム溝は、複数のレンズ保持枠をそれぞれ駆動させるために、相互に交差しないように構成する必要があるので、通常、レンズ保持枠の光軸方向の配列順に対応させて光軸方向に配列する態様で形成される。
【０００５】
例えば、１群レンズＬ１、２群レンズＬ２及び４群レンズ群Ｌ４をそれぞれ保持する３つのレンズホルダ２３、２４、２５を一つのカム筒３により駆動する構造が知られている（例えば、以下の特許文献１参照）。カム筒３には３つのカム溝３ｂ，３ｃ及び３ｄが形成され、これらのカム溝にそれぞれ１群カムピン７、２群カムピン８及びステップモータ用カムピン９が係合している。
【０００６】
また、このレンズ鏡筒においては、本体に固定された固定筒２に対して上記カム筒３を光軸方向に出没自在に構成する場合があり、この場合には、固定筒２の内面にヘリコイド２ａ及び直進溝を形成し、カム筒３の外面にヘリコイド２ａとヘリコイド結合するヘリコイド３ａを構成し、カム筒３と共に光軸方向に移動する直進筒６の後端に固定された直進リング５のキーを上記固定筒２の直進溝に係合させている。これにより、カム筒３を回転させると、固定筒２のヘリコイドによってカム筒３が光軸方向前方に繰り出すとともに、このカム筒３の移動に伴って、直進筒６が固定筒２の直進溝に規制されて回転せずに光軸方向に繰り出すように構成される。
【特許文献１】特開２００１−８３３８８号公報（段落０００９乃至００１１並びに図１及び図３）
【発明の開示】
【発明が解決しようとする課題】
【０００７】
しかしながら、前述の光学鏡筒におけるカム筒構造においては、光軸方向に配列された複数のレンズ保持枠をそれぞれ光軸方向に駆動するために、カム筒に光軸方向に互に交差することなく配列された複数のカム溝を形成する必要があるので、カム筒の光軸方向の長さが大きくなることから、光学鏡筒の全長が長くなるという問題点があり、特に、沈胴型のカメラにおいては、光学鏡筒を本体に収納する必要があることから、本体の大型化をも招くという問題点がある。
【０００８】
そこで、本発明は上記問題点を解決するものであり、その課題は、鏡筒内部品を光軸方向に駆動するカム筒構造を従来よりもコンパクトに構成することの可能な光学鏡筒の構造を提供することにある。
【課題を解決するための手段】
【０００９】
斯かる実情に鑑み、本発明の光学鏡筒は、光軸周りに回転可能な駆動筒と、該駆動筒に対してそれぞれ直接若しくは間接的にカム係合し、前記駆動筒の回転により光軸方向にそれぞれ移動可能に構成された複数の鏡筒内部品とを有する光学鏡筒において、前記駆動筒の外面に形成され、一の前記鏡筒内部品を駆動するための外面カム係合要素と、前記駆動筒の内面に形成され、他の前記鏡筒内部品を駆動するための内面カム係合要素とを有することを特徴とする。
【００１０】
この発明によれば、複数の鏡筒内部品を駆動するために、駆動筒の外面に外面カム係合要素が形成され、駆動筒の内面に内面カム係合要素が形成されていることにより、駆動筒において外面カム係合要素と内面カム係合要素とが干渉することのないように、すなわち交差したり重なったりすることの内容に形成することができるため、外面カム係合要素と内面カム係合要素の位置関係に制約がなくなるので、駆動筒を小型化することが可能になり、光学鏡筒をコンパクトに構成できる。換言すれば、より多くの鏡筒内部品を一つの駆動筒によって駆動する場合でも、駆動筒の大型化を防止できる。
【００１１】
本発明において、前記外面カム係合要素と前記内面カム係合要素の少なくとも一部が光軸周りの円筒座標上で相互に重なる位置に配置されていることが好ましい。これによれば、外面カム係合要素と内面カム係合要素の少なくとも一部が光軸周りの円筒座標上で相互に重なる位置に配置されていることにより、例えば、外面カム係合要素と内面カム係合要素とが円筒座標上において相互に交差することにより、駆動筒の外面と内面を効率的に利用することができるため、駆動筒の光軸方向の長さを短縮することができ、光学鏡筒の光軸方向の長さを短縮できる。
【００１２】
本発明において、前記駆動筒にカム係合した固定筒がさらに設けられ、前記固定筒には、前記駆動筒の回転により前記駆動筒を光軸方向に移動させる固定側カム係合要素と、前記鏡筒内部品の移動方向を直接若しくは間接的に規制する規制手段とが形成され、前記規制手段は、前記固定側カム係合要素を避けた位置に構成されていることが好ましい。これによれば、駆動筒を駆動するための固定側カム係合要素を固定筒に設け、この固定側カム係合要素と規制手段とが重なったり交差したりしないため、鏡筒内部品の移動方向が規制手段によって規制される際に、固定側カム係合要素に引っかかりスムーズに移動できないといった事態の発生を回避できる。
【００１３】
本発明の別の光学鏡筒は、光軸周りに回転可能な駆動筒と、該駆動筒に対して直接若しくは間接的にカム係合し、前記駆動筒の回転により光軸方向に移動可能に構成された鏡筒内部品とを有する光学鏡筒において、前記駆動筒にカム係合した固定筒がさらに設けられ、前記固定筒には、前記駆動筒の回転により前記駆動筒を光軸方向に移動させる固定側カム係合要素と、前記鏡筒内部品の移動方向を直接若しくは間接的に光軸方向に規制する規制手段とが形成され、前記規制手段は、前記固定側カム係合要素を避けた位置に構成されていることを特徴とする。ここで、固定側カム係合要素は、駆動筒が回転することにより駆動筒を光軸方向に移動させるために、光軸方向一側から光軸方向他側に向けて斜めに伸びる部分を有する。そして、このような固定側カム係合要素を避けた位置に、規制手段、例えば光軸方向に直線状に伸びる規制構造を形成する。
【００１４】
本発明において、前記規制手段は、前記固定側カム係合要素が前記固定筒における光軸方向の一側に配置される角度位置において前記固定側カム係合要素に対して光軸方向の他側に配置されていることが好ましい。これによれば、固定側カム係合要素が固定筒の光軸方向の一側に配置される角度位置において規制手段が固定側カム要素よりも光軸方向の他側に配置されることにより、固定側カム係合要素と規制手段とが重なったり交差したりしないように構成できるとともに、規制手段を光軸方向の広い範囲に亘って形成することが可能になる。また、このように構成すると、固定側カム係合要素と規制手段とが相互に重なったり交差したりしにように構成しても、固定筒の光軸方向の長さを短縮することができるので、光学鏡筒をコンパクトに構成することができる。
【００１５】
本発明において、前記規制手段は、前記鏡筒内部品を光軸方向に案内する直進案内筒の移動方向を規制する手段であることが好ましい。固定筒の規制手段が直進案内筒を規制し、直進案内筒が鏡筒内部品を光軸方向に案内することにより、すなわち、直進案内筒を介して規制手段が鏡筒内部品の移動方向を光軸方向に規制することにより、固定筒の規制手段と鏡筒内部品の位置関係の自由度を高めることができる。
【発明の効果】
【００１６】
本発明によれば、駆動筒を小型化することが可能になるため、光学鏡筒をコンパクトに構成できるという優れた効果を奏し得る。また、固定筒の規制手段により鏡筒内部品の移動方向を光軸方向に規制する場合において、鏡筒内部品の移動をよりスムーズに行わせることができる。さらに、固定筒の規制手段を固定側カム係合要素を避けた位置に形成した構造であっても、固定筒の光軸方向の長さを抑制できるので、光学鏡筒のコンパクト化を図ることが可能になる。
【発明を実施するための最良の形態】
【００１７】
以下、本発明の実施の形態を図示例と共に説明する。図１は、本発明の実施形態の光学鏡筒１０の構造を示す縦断面図、図７は光学鏡筒１０を光軸方向から見た正面図である。本実施形態の光学鏡筒１０は、図７に示すように、スティルカメラやビデオカメラなどの撮像装置１００に装着することができるものである。この撮像装置１００には、駆動モータ（ズーム用モータ）３１が設けられ、この駆動モータ３１は、伝動機構を介して光学鏡筒１０の後述する駆動筒１３を駆動するように構成されている。この伝動機構としては、駆動モータ３１の出力軸に接続された歯車３２，３３で構成される輪列及びこれに噛合する駆動筒１３の外面（特にその後端部）に設けられた曲面ラック（ギア）１３ｘなどで構成される。この曲面ラック１３ｘは、後述する駆動筒１３が光軸方向に移動しても歯車３３と噛合し続けることができるように、光軸方向の所定範囲に亘って設けられている。
【００１８】
図１に示すように、光学鏡筒１０は、基板１１と、この基板１１に固定された固定筒１２と、固定筒１２の内側に回転可能に配置された駆動筒（ズームカム筒）１３と、駆動筒１３に対して光軸Ｌｘの方向（以下、単に「光軸方向」という。）に固定され、光軸Ｌｘの周り（以下、単に「光軸周り」という。）には回転可能に構成された直進案内筒１４，１５と、レンズＬ１，Ｌ２，Ｌ３、Ｌ４、Ｌ５と、これらのレンズをそれぞれ保持するレンズ保持枠１６，１７，１８，１９，２２とを備えている。
【００１９】
固定筒１２の内面には、固定側カム係合要素としてのカム溝１２ａと、規制手段としての直進溝１２ｂ，１２ｃとが形成されている。図９の固定筒１２の内面展開図に示すように、カム溝１２ａは、固定筒１２の内面において光軸方向及び光軸周りに伸びる凹溝であり、また、直進溝１２ｂ、１２ｃは、光軸方向に直線状に伸びる凹溝である。ここで、直進溝１２ｂ，１２ｃは、カム溝１２ａを避けた位置に形成されている。すなわち、カム溝１２ａと重なったり交差したりしないように構成されている。具体的には、カム溝１２ａが光軸方向後方から前方に向かった後に当該前方位置にて伸び続ける角度位置において、当該カム溝１２ａよりも光軸方向後方側に上記直進溝１２ｂ，１２ｃが限定して形成されている。なお、カム溝１２ａ及び直進溝１２ｂ、１２ｃは、図９に示すように光軸周りの複数箇所（図示例では３箇所）に、所定間隔（図示例では等角度間隔）で設けられている。
【００２０】
図９に示すように、固定筒１２に設けられたカム溝１２ａは、光軸方向後方にある後方部１２ａ−１（角度範囲：０〜１０度）と、光軸方向後方から角度の増加に伴って光軸方向前方に移動する傾斜部１２ａ−２（角度範囲：１０〜４０度）と、傾斜部１２ａ−２に接続され、さらに角度が増加した部分に設けられた光軸方向前方にある前方部１２ａ−３（角度範囲：４０〜１１５度）とを備えている。この前方部１２ａ−３は、角度が増加しても光軸方向の位置が変化しないように（光軸周りに直線状に伸びるように）構成されている。
【００２１】
駆動筒１３の外面には外面カム係合要素としてのカム溝１３ａが形成され、また、内面には内面カム係合要素としてのカム溝１３ｂ，１３ｃ，１３ｄが形成されている。図１０の駆動筒１３の外面１３Ａ及び内面１３Ｂの展開図（ａ）及び（ｂ）に示すように、カム溝１３ａ，１３ｂ，１３ｃ，１３ｄは光軸方向及び光軸周りに伸びる凹溝である。ここで、外面上のカム溝１３ａと、内面上のカム溝１３ｂ，１３ｃ，１３ｄとは、光軸周りの円筒座標上において相互に一部が重なる（交差する）ように構成されているが、同じ内面上に複数設けられたカム溝１３ｂ，１３ｃ，１３ｄ同士は相互に交差せず、カム溝１３ｂ，１３ｃ，１３ｄの順で光軸方向に配列されている。
【００２２】
また、駆動筒１３の後端部には外側へ突出するカムフォロワ１３ｅが形成されている。このカムフォロワ１３ｅは、上記固定筒１２のカム溝１２ａに係合している。なお、カム溝１３ａ〜１３ｄ及びカムフォロワ１３ｅは、図１０に示すように光軸周りの複数箇所（図示例では３箇所）に、所定間隔（図示例では等角度間隔）で設けられている。
【００２３】
直進案内筒１４は、光軸周りの半径方向に見て固定筒１２と駆動筒１３の間に配置されている。直進案内筒１４の後端部は、駆動筒１３の後端部に対して光軸方向に固定され、かつ、光軸周りに回転可能な状態で係合している。直進案内筒１４の内面には直進案内溝１４ａが形成され、また、直進案内筒１４の後端部には外側に突出する突起１４ｂが形成されている。この直進案内溝１４ａは、図８（ａ）に示すように、光軸方向に直線状に伸びている。突起１４ｂは、直進案内溝１４ａと同じ光軸周りの角度位置に設けられている。突起１４ｂは、固定筒１２の上記直進溝１２ｂに係合している。直進案内筒１３の後端部には、突起１４ｂの形成位置の近傍以外の角度範囲に切り欠き部１４ｃが形成され、この切り欠き部１４ｃを通して上記駆動筒１３のカムフォロワ１３ｅが外側へ突出し、固定筒１２のカム溝１２ａに係合するようになっている。なお、直進案内溝１４ａ及び突起１４ｂは、図８（ａ）に示すように光軸周りの複数箇所（図示例では３箇所）に、所定間隔（図示例では等角度間隔）で設けられている。
【００２４】
直進案内筒１５は駆動筒１３の内側に配置され、駆動筒１３に対して光軸方向には固定され、光軸周りには回転可能な状態で装着されている。直進案内筒１５には、図８（ｂ）に示すように、光軸方向に直線状に伸びる直進案内孔（長孔）１５ａが形成されている。また、直進案内筒１５の後端部には、外側に突出する突起１５ｂが形成されている。この突起１５ｂは、直進案内孔１５ａの形成された角度位置に設けられている。この突起１５ｂは、固定筒１２の上記直進溝１２ｃに係合している。
【００２５】
レンズ（１群レンズ）Ｌ１を保持するレンズ保持枠１６は、駆動筒１３の外面上に摺接している。具体的には、レンズ保持枠１６は、光軸周りの半径方向に見て駆動筒１３と直進案内筒１４との間に配置されている。レンズ保持枠１６の内面にはカムフォロワ１６ａが形成され、このカムフォロワ１６ａは駆動筒１３のカム溝１３ａに係合している。なお、直進案内孔１５ａ及び突起１５ｂは、図８（ｃ）に示すように光軸周りの複数箇所（図示例では３箇所）に、所定間隔（図示例では等角度間隔）で設けられている。
【００２６】
レンズ（２群レンズ）Ｌ２を保持するレンズ保持枠１７、レンズ（３群レンズ）Ｌ３を保持するレンズ保持枠１８及びレンズ（４群レンズ）Ｌ４を保持するレンズ保持枠１９は、直線案内筒１５の内側において光軸方向に移動可能に配置されている。レンズ保持枠１７，１８，１９は外側に突出するカムフォロワ１７ａ，１８ａ，１９ａをそれぞれ有し、これらのカムフォロワは、直進案内筒１５の直進案内孔１５ａを通して駆動筒１３のカム溝１３ｂ，１３ｃ，１３ｄにそれぞれ係合している。なお、カムフォロワ１７ａ，１８ａ，１９ａは、光軸周りの複数箇所（図示例では３箇所）に、所定間隔（図示例では等角度間隔）で設けられている。
【００２７】
また、本実施形態では、レンズ（５群レンズ）Ｌ５は合焦用レンズであり、このレンズＬ５を保持するレンズ保持枠２２が光軸方向に移動可能に構成されている。基板１１には合焦用モータ２３が実装され、この合焦用モータ２３に接続された駆動ねじ２４と、これに螺合するナット２５とが設けられ、このナット２５が上記レンズ保持枠２２に接続されている。この構成により、レンズ保持枠２２は、合焦用モータ２３が動作することにより光軸方向に移動するようになっている。レンズＬ５の光軸方向後方には基板１１に実装された撮像手段２６が配置されている。この撮像手段２６は例えばＣＣＤやＣＭＯＳセンサなどの撮像素子で構成される。さらに、レンズＬ４のレンズ保持枠１９には、シャッタ装置２７が取り付けられ、図示しない制御系から送出される制御信号を受けて動作するように構成されている。
【００２８】
次に、以上のように構成された本実施形態の光学鏡筒１０の動作について説明する。駆動筒１３が上記の駆動モータ３１などにより回転駆動されると、駆動筒１３に対してカム係合したレンズ保持枠１６，１７，１８，１９は光軸方向に移動する。このとき、レンズ保持枠１６，１７，１８，１９は、直進案内筒１４，１５によって光軸方向に案内されるので、駆動筒１３とは異なり光軸周りには回転しない。また、駆動筒１３は、固定筒１２とのカム係合によって自身が回転しながら固定筒１２に対して光軸方向に移動する。
【００２９】
ここで、図１は光学鏡筒１０の主要部分が固定枠１２の内部の収納位置に配置された沈胴状態を示す。この状態で駆動筒１３が回転駆動されると、駆動筒１３は光軸方向前方に繰り出され、図２に示す撮影位置に移動する。ここで、駆動筒１３が収納位置から撮影位置に移動する際に、駆動筒１３と各レンズ保持枠１６，１７，１８，１９のカム係合によりレンズＬ１〜Ｌ４も移動し、図２に示すＷＩＤＥ（広角）撮影位置に配置される。その後、さらに駆動筒１３が回転駆動されると、レンズＬ１〜Ｌ４は、図３に示す状態を経て、図４に示すＳＴＤ（標準）撮影位置に移動し、さらに図５に示す状態を経て、図６に示すＴＥＬＥ（望遠）撮影位置に移動する。
【００３０】
なお、図１０（ａ）及び（ｂ）中において、駆動筒１３のカム溝１３ａ，１３ｂ，１３ｃ，１３ｄに対するカムフォロワ１６ａ，１７ａ，１８ａ，１９ａの丸付き数字１〜６で示す係合位置は、それぞれ上記の図１、図２、図３、図４、図５、及び、図６の各状態に対応している。ここで、駆動筒１３を逆転させていけば、上記とは逆の順序で図１の沈胴状態にまで戻る。
【００３１】
本実施形態においては、鏡筒内部品、特に光学部品であるレンズＬ１〜Ｌ４、或いは、この光学部品をそれぞれ保持する複数の保持部材であるレンズ保持枠１６〜１９を光軸方向に駆動するために、駆動筒１３の外面に形成されたカム溝１３ａを設けるとともに、内面にもカム溝１３ｂ〜１３ｄを設けるというように、駆動筒１３の内外両面にそれぞれカム係合要素を設けている。これにより、外面上のカム係合要素と内面上のカム係合要素との間の位置関係の制約がなくなるので、駆動筒１３の軸線方向の長さを短く構成できる。例えば、図１０（ａ）に示すカム溝１３ａと、図１０（ｂ）に示すカム溝１３ｂ〜１３ｄとは光軸周りの円筒座標上において相互に少なくとも一部が重なる（交差する）ように構成されているが、カム動作上は何等の支障もない。
【００３２】
上記のように駆動筒１３の光軸方向の長さが短くなると、光学鏡筒１０自体をコンパクトに構成できる。換言すれば、より多くの鏡筒内部品を一つの駆動筒１３によって駆動する場合でも、駆動筒１３の大型化（光軸方向の長さの増大）を防止できる。また、駆動筒１３の多くの部分が固定筒１２の内部に収納される沈胴型の撮像装置１００の場合には、収納される鏡筒部分の光軸方向の長さが短縮されるので、撮像装置１００の装置本体のコンパクト化を図ることもできる。
【００３３】
本実施形態では、固定筒１２の内面に、固定側カム係合要素としてのカム溝１２ａと、直進案内筒１４，１５を介して鏡筒内部品、特に光学部品であるレンズＬ１〜Ｌ４、或いは、これらの光学部品を保持する保持部材であるレンズ保持枠１６〜１９の移動方向を光軸方向に規制する規制手段である直進溝１２ｂ，１２ｃとが設けられている。そして、固定筒１２の内面上において、直進溝１２ｂ，１２ｃはカム溝１２ａを避けた位置に構成されている。
【００３４】
ところで、従来の沈胴型のカメラにおいては、カム筒を出没可能に構成するために固定筒にヘリコイドと直進溝を設ける必要があり、そのヘリコイド面内に直進溝が形成されることから、直進溝に係合するキーが光軸方向に移動する際にヘリコイドを構成するねじ山に引っかかることがあり、直進筒がスムーズに移動しないことがあった。
【００３５】
しかし、本実施形態では、上記のように直進溝１２ｂ、１２ｃがカム溝１２ａを避けた位置に形成され、カム溝１２ａと重なったり交差したりしないように構成されているため、駆動筒１３が回転駆動されて、直進案内筒１４，１５が直進溝１２ｂ，１２ｃに沿って光軸方向に移動する際に、カム溝１２ａに引っかかってスムーズに光軸方向に移動できなくなるといった事態が発生することはない。
【００３６】
特に、カム溝１２ａが固定筒１２の光軸方向前方に位置する前方部１２ａ−３が形成された角度位置において、当該前方部１２ａ−３に対して光軸方向後方に直進溝１２ｂ，１２ｃが形成されているので、光軸方向に直線状に伸びる直進溝１２ｂ，１２ｃの規制長さを充分に確保することができる。換言すれば、上記構成によって規制手段である直進溝１２ｂ、１２ｃを固定側カム係合要素であるカム溝１２ａを避けた位置に形成しても、固定筒１２の光軸方向の長さの増大を抑制できるため、光学鏡筒の大型化を防止できるという効果が得られる。
【図面の簡単な説明】
【００３７】
【図１】本発明に係る光学鏡筒における図１０に示す丸付き数字１のカム係合位置に対応する状態を示す縦断面図。
【図２】光学鏡筒における図１０に示す丸付き数字２のカム係合位置に対応する状態を示す縦断面図。
【図３】光学鏡筒における図１０に示す丸付き数字３のカム係合位置に対応する状態を示す縦断面図。
【図４】光学鏡筒における図１０に示す丸付き数字４のカム係合位置に対応する状態を示す縦断面図。
【図５】光学鏡筒における図１０に示す丸付き数字５のカム係合位置に対応する状態を示す縦断面図。
【図６】光学鏡筒における図１０に示す丸付き数字６のカム係合位置に対応する状態を示す縦断面図。
【図７】撮像装置に装着された光学鏡筒を示す正面図。
【図８】直進案内筒の形状を示す概略斜視図（ａ）及び（ｂ）。
【図９】固定筒の内面展開図。
【図１０】駆動筒の外面及び内面の展開図（ａ）及び（ｂ）。
【符号の説明】
【００３８】
１０…光学鏡筒、１１…基板、１２…固定筒、１２ａ…カム溝、１２ｂ，１２ｃ…直進溝、１３…駆動筒、１３Ａ…外面、１３Ｂ…内面、１３ａ，１３ｂ，１３ｃ，１３ｄ…カム溝、１４，１５…直進案内筒、１４ａ…直進案内溝、１４ｂ…突起、１５ａ…直進案内孔、１５ｂ…突起、１６，１７，１８，１９…レンズ保持枠、Ｌ１〜Ｌ５…レンズ
【図１】
2005234259.tif 000003
【図２】
2005234259.tif 000004
【図３】
2005234259.tif 000005
【図４】
2005234259.tif 000006
【図５】
2005234259.tif 000007
【図６】
2005234259.tif 000008
【図７】
2005234259.tif 000009
【図８】
2005234259.tif 000010
【図９】
2005234259.tif 000011
【図１０】
2005234259.tif 000012